(57)【要約】      （修正有）【課題】当接部材のロック操作を簡単容易に行える足場板隙間プレートを提供する。【解決手段】水平板部５と側枠部６とで形成されたプレート本体７と、側枠部６の両端に突設されて両足場用建枠２の横材３に係止される係止用フック８と、プレート本体７を隙間塞ぎ位置にロックするロック手段９とからなり、ロック手段９は、プレート本体７の水平板部５に幅方向移動可能に設けられ、足場板４の側端部に当接する当接金具１０と、その長さ方向にはスライド可能に取り付けられたロック金具１１と、バネ１２とからなり、ロック金具１１には、ガイド長溝１３と一定ピッチで設けた複数のロック溝１４に係入するロックピン１６を設け、ロックピン１６は、常時は、バネ１２でロック溝１４の一つに係入して当接金具１０をロックし、バネ１２に抗してロックピン１６をロック溝１４からガイド長溝１３に入れることで、当接金具１０のロックを解除する。【選択図】図６
2011140807.tif 000002
【特許請求の範囲】
【請求項１】
対向する一対の足場用建枠の横材間に架け渡された長尺な足場板の、その長手方向に直交する側端部側に発生する隙間を塞ぐように取り付けられる足場板隙間プレートであって、足場板と同じく長尺な水平板部とこれの幅方向基端部下部に設けられる側枠部とで形成されて水平板部の幅方向先端部が足場板の側端部上面に載置されるプレート本体と、前記側枠部の両端に突設されて両足場用建枠の横材に係止される係止用フックと、プレート本体を所要の隙間塞ぎ位置にロックするロック手段とからなり、ロック手段は、プレート本体の水平板部にその長手方向に直交する幅方向に移動可能に取り付けられ足場板の側端部に当接する当接金具と、この当接金具に、水平板部の幅方向には当接金具と一体的に移動可能であるが、その長さ方向には当接金具から独立して変位可能に取り付けられたロック金具と、ロック金具を水平板部の長さ方向に付勢するバネとからなり、ロック金具には、水平板部にその幅方向に設けた長溝に沿って移動可能であると共に、この長溝に連通してその長手方向一定ピッチに設けた複数のロック溝に係入可能なロックピンを設け、このロックピンは、常時は、前記バネの付勢力でロック溝の一つに係入して当接金具をその位置にロックしているが、そのバネに抗してロックピンをロック溝から前記長溝側に変位させることにより、当接金具のロックを解除して、ロック金具を当接金具と共に水平板部の幅方向に移動可能としてなる足場板隙間プレート。
【請求項２】
ロック手段の当接金具は、足場板の側端下面部に係合してプレート本体の浮き上がりを防止する係合部を有する請求項１に記載の足場板隙間プレート。
【発明の詳細な説明】
【技術分野】
【０００１】
本発明は、建設作業現場で枠組みされる架設枠組み足場において、対向する一対の足場用建枠の横材間に架け渡された長尺な足場板の、その長手方向に直交する側端部側に発生する隙間、例えば建設物と足場板との間、或いは足場板間を塞ぐように取り付けられる足場板隙間プレートに関するものである。
【背景技術】
【０００２】
上記のように対向する一対の足場用建枠の横材間に架け渡された長尺な足場板の、その長手方向に直交する側端部側に発生する隙間、例えば建設物と足場板との間、或いは足場用建枠の横材間に併設して２枚の足場板を架け渡したときに、足場板の側端部とこれに対向する建設物との間や、或いは併設される２枚の足場板の互いに対向する側端部間に発生する隙間が広くなると、作業上非常に危険である。そこで、足場板の側端部や２枚の足場板間に形成される隙間を塞ぐように取り付けて作業上の安全を確保するようにした足場板隙間プレートが提案されている。
【０００３】
従来の足場板隙間プレートとして、下記特許文献１に記載されたものがある。この隙間プレートは、長尺な足場板と略同じ長さの水平板部とこれの長さ方向に直交する幅方向の基端部に垂下連結される側板部とにより形成されて、側板部が一方の足場板の側端部に沿うように配置され且つ水平板部の他側縁部が他方の足場板の側端部上面に載置されるプレート本体と、前記側板部の両端に突設されて両足場用建枠の横材に係止される一対の係止用フックと、前記水平板部にその長手方向に直交する幅方向に移動調整可能に設けられて、他方の足場板の側端部に当接されるロック用の当接部材とからなるもので、足場用建枠の幅の違いによる足場板間の隙間の違いに対応するために当接部材を水平板部の幅方向に移動させて、足場板の側端部に当接する位置で、係合部材をボルトで固定し、プレート本体を隙間塞ぎ位置に固定するようにしたものである。
【先行技術文献】
【特許文献】
【０００４】
【特許文献１】特許第３２９５６４２号公報
【発明の概要】
【発明が解決しようとする課題】
【０００５】
従来の足場板隙間プレートでは、ロック用の当接部材を水平板部の幅方向に移動させて足場板の側端部に係合する位置でボルトを締め付けることにより、当接部材を水平板部に対して固定し、また当接部材を水平板部の幅方向に移動させる時はボルトを緩めるようにするため、当接部材の移動調整操作が非常に面倒であった。
【０００６】
本発明は、上記の事情に鑑み、当接部材の移動調整操作を簡単容易に行える足場板隙間プレートを提供することを目的としている。
【課題を解決するための手段】
【０００７】
上記課題を解決するための手段を、後述する実施形態の参照符号を付して説明すると、請求項１に係る発明は、対向する一対の足場用建枠２，２の横材３，３間に架け渡された足場板４（図７、図８参照）の、その長手方向に直交する側端部に発生する隙間を塞ぐように取り付けられる足場板隙間プレート１であって、水平板部５とこれの幅方向基端部下部に設けられる側枠部６とで形成されて水平板部５の幅方向先端部が足場板４の側端部上面に載置されるプレート本体７と、前記側枠部６の両端に突設されて両足場用建枠２，２の横材３，３に係止される係止用フック８，８と、プレート本体７を所要の隙間塞ぎ位置にロックするロック手段９（図２）とからなり、ロック手段９は、プレート本体７の水平板部５にその長手方向に直交する幅方向に移動可能に取り付けられ足場板４の側端部に当接する当接金具１０と、この当接金具１０に、水平板部５の幅方向には当接金具１０と一体的に移動可能であるが、その長さ方向には当接金具から独立して変位可能に取り付けられたロック金具１１と、ロック金具１１を水平板部５の長さ方向に付勢するバネ１２とからなり、ロック金具１１には、水平板部５にその幅方向に設けた長溝１３に沿って移動可能であると共に、この長溝１３に連通してその長手方向一定ピッチで設けた複数のロック溝１４に係入可能なロックピン１６を設け、このロックピン１６は、常時は、前記バネ１２の付勢力でロック溝１４の一つに係入して当接金具１０をその位置にロックしているが、そのバネ１２に抗してロックピン１６をロック溝１４から前記長溝１３側に変位させることにより、当接金具１０のロックを解除して、ロック金具１１を当接金具１０と共に水平板部５の幅方向に移動可能としたものである。
【０００８】
請求項２は、請求項１に記載の足場板隙間プレートにおいて、ロック手段９の当接金具１０は、足場板４の側端下面部に係合してプレート本体７の浮き上がりを防止する係合部１０ａｏ（図３）を有することを特徴する。
【発明の効果】
【０００９】
上記解決手段による発明の効果を、後述する実施形態の参照符号を付して説明すると、請求項１に係る発明によれば、足場板隙間プレート１のプレート本体７を隙間塞ぎ位置にロックしたり、ロック解除するのに、従来の足場板隙間プレートのようにボルトを締めたり緩めたりする面倒が不要で、ロック金具１１を当接金具１０と共にプレート本体７の幅方向に一体的に移動させると共に、ロック金具１１を当接金具１０から独立してプレート本体７の長さ方向に変位させるだけでよいから、操作が非常に簡単で容易となり、足場板の側端部側の隙間の大きさに合わせて該側端部端面に当接金具１０が当接ロックするロック位置を自在に調整することができる。
【００１０】
請求項２に係る発明によれば、ロック手段９の当接金具１０は、係合部１０ａｏを有するので、足場板４の側端部に当接した状態で、風圧などによるプレート本体７の浮き上がりを防止することができる。
【図面の簡単な説明】
【００１１】
【図１】(a) は本発明に係る足場板隙間プレートの平面図、(b) は正面図である。
【図２】(a) は図１の矢印Ａで示す部分の拡大図、(b) は(a) のＢ−Ｂ線断面図である。
【図３】図２のＣ−Ｃ線矢示図である。
【図４】当接金具が足場板の側端部に対する非当接位置でロック金具によりロックされている状態を示すもので、(a) は平面図、(b) は(a) のＦ−Ｆ線断面図、(c) は図２の(b) に対応する図面である。
【図５】当接金具がロック金具によるロックを解除されて、長溝に沿って移動し長溝の長手方向中間部の位置で当接金具が足場板の側端部に対する当接位置でロック金具によりロックされている状態を示すもので、(a) 〜(c) は図４の(a) 〜(c) に対応する図面である。
【図６】当接金具が長溝の長手方向端部まで移動され、その端部位置で足場板の側端部に当接した位置でロック金具によりロックされている状態を示すもので、(a) 〜(c) は図４の(a) 〜(c) に対応する図面である。
【図７】(a) は枠組足場において対向する一対の足場用建枠の横材間に架け渡された足場板の側端部側に発生する隙間に足場板隙間プレートを取り付けた状態を示す平面図、(b) は(a) の矢印Ｄで示す部分の拡大図である。
【図８】(a) は枠組足場において対向する一対の足場用建枠の横材間に併設して架け渡された２つの足場板間の隙間に足場板隙間プレートを取り付けた状態を示す平面図、(b) は(a) の矢印Ｅで示す部分の拡大図である。
【発明を実施するための形態】
【００１２】
以下に本発明の好適な一実施形態を図面に基づき説明すると、図１の(a) ，(b) に示す本発明に係る足場板隙間プレート１は、図７に示すように対向する一対の足場用建枠２，２の横材３，３間に架け渡された足場板４の側端部側と足場用建枠２の桁側端縁あるいは建設物との間に発生する隙間、あるいは図８に示すように対向する一対の足場用建枠２，２の横材３，３間に併設して架け渡された２枚の足場板４，４間に形成される隙間を塞ぐように取り付けられる。
【００１３】
この足場板隙間プレート１は、図１に示すように、長尺な足場板４（図７、図８参照）の略長手方向全域を覆う長さの長尺な水平板部５とこの水平板部５の長手方向に直交する幅方向基端部下部に設けられる側枠部６とにより形成されて水平板部５の幅方向先端部５ａが足場板４の長手方向に沿う側端部上面に載置されるプレート本体７と、前記側枠部６の長手方向両端部に突設されて両足場用建枠２の横材３に係止される係止用フック８と、前記プレート本体７を所要の隙間塞ぎ位置にロックするために水平板部５の長手方向両端部に設けられたロック手段９，９とから構成される。
【００１４】
プレート本体７の水平板部５の先端部５ａは、図２の(a) 及び図３に示すように上向きに折り返されて補強用の折り返し縁部５ａを形成している。各係止用フック８は、図４〜図６に示す足場板４に装備されている係止フックＫと同じ構造のもので、図２〜図６に示すように、足場用建枠２の横材３にその上方より係合されるフック本体８ａと、このフック本体８ａに取り付けられて、前記横材３の下部側に係脱自在に係合する係合部片８ｂとからなり、フック本体８の取付部８ｃは、プレート本体７の側枠部６にボルト・ナット又はリベットＲによって固着されている。
【００１５】
各ロック手段９は、プレート本体７の水平板部５にその幅方向移動可能に取り付けられていて、後述のように足場板４の側端部に当接する当接金具１０と、この当接金具１０に、水平板部５の幅方向には当接金具１０と一体的に移動可能で、水平板部５の長さ方向には当接金具１０から独立して変位可能に取り付けられたロック金具１１と、このロック金具１１を水平板部５の長さ方向の一方に付勢するコイルバネ１２とからなるもので、ロック金具１１には、水平板部５にその幅方向に設けた長溝１３に沿って移動可能であり、且つこの長溝１３内の一側部に一定ピッチで設けた複数のロック溝１４に係入可能なロックピン１６を設け、このロックピン１６は、常時は、前記コイルバネ１２の付勢力でロック溝１４の一つに係入して当接金具１０をその位置にロックしているが、そのコイルバネ１２に抗してロック金具１１のロックピン１６をロック溝１４から長溝１３側に変位することにより、当接金具１０のロックを解除して、ロック金具１１を長溝１３に沿って当接金具１０と共に水平板部５の幅方向に移動可能としている。
【００１６】
上記ロック手段９の構造について更に詳しく説明すれば、当接金具１０は、図２、図３及び図４の (b)、図５の(b）又は図６の(b) に示すように、竪壁先端縁１０ａ1（図４（ｂ）、図５（ｂ）、図６（ｂ））が足場板４の側端部端面４ａに当接可能な竪壁部１０ａと、この竪板部１０の上端部から水平に延びた水平壁部１０ｂとからなり、竪壁部１０ａの先端縁下部には、足場板の側端部下面部に係合してプレート本体７の浮き上がりを防止する係合部１０ａｏを備えている。そして、この当接金具１０は、図２の(a) ，(b) に示すように、プレート本体７の水平板部５にその幅方向に長く形成されたガイド長溝１７に挿通されて当該当接金具１０の水平壁部１０ｂに取付け固定されたガイドピン１８を備えていて、このガイドピン１８を水平板部５のガイド長溝１７に沿ってスライドさせることにより、当接金具１０を水平板部５の幅方向に移動させることができる。
【００１７】
ロック金具１１は、図２及び図３に示すように、当接金具１０の水平壁部１０ｂ上にて水平板部５の長さ方向に変位可能な水平壁部１１ｂと、この水平壁部１１ｂの先端部から下向き直角に突設された下向き突片１１ａとからなるもので、水平壁部１１ｂには、プレート本体７の水平板部５にその幅方向に設けた長溝１３に沿って移動可能であり、且つこの長溝１３の一側部に連通して一定ピッチで設けた複数のロック溝１４に係入するロックピン１６が取付け固定され、このロックピン１６の下半部は、当接金具１０の水平壁部１０ｂに設けられた、水平板部５の長さ方向に長い長孔１９に挿通され、また、ロック金具１１の水平壁部１１ｂには前記当接金具１０の水平壁部１０ｂに設けられた長孔１９と同じ長さの長孔２０が設けてあって、この長孔２０には、当接金具１０の水平壁部１０ｂに取付け固定されたガイドピン１８の頭部１８ａが挿通係合され、ロックピン１６及びガイドピン１８は夫々上記長孔１９，２０間、変位可能となっている。
【００１８】
また、当接金具１０の竪壁部１０ａとロック金具１１の下向き突片１１ａとの間には、ロック金具１１を水平板部５の長さ方向の一方（図２の(a) ，(b) に関し右方）へ付勢するコイルバネ１２が介装されている。即ち、一端部をロック金具１１の下向き突片１１ａに貫通固定したバネ支持ロッド２１の他端部が、当接金具１０の竪壁部１０ａに設けたロッド挿通孔２２に挿通支持されると共に、このロッド２１にコイルバネ２１が嵌挿され、これによりロック金具１１が水平板部５の長さ方向の一方（図２の(a) ，(b) に関し右方）へ付勢されている。従って、ロックピン１６は、常時は、コイルバネ１２の付勢力によりロック溝１４の何れか一つに係入して当接金具１０をその位置にロックしており、そのコイルバネ１２に抗してロック金具１１、即ちそのロックピン１６をロック溝１４から長溝１３側に変位させることにより、当接金具１０のロックを解除して、ロック金具１１を当接金具１０と共に水平板部５の幅方向に移動できるようにしている。
【００１９】
上記のように構成される足場板隙間プレート１の使用にあたり、図７に示すように対向する足場用建枠２，２の横材３，２間に架け渡された足場板４の側端部（図７（ａ）の図中下端縁側）に発生する隙間、あるいは図８に示すように足場用建枠２，２の横材３，３間に並列に架け渡された２枚の足場板４，４間に形成される隙間（図８（ａ）の図中中央部側）を塞ぐように足場板隙間プレート１を取り付ける。この足場板隙間プレート１の取付ける際は、上記隙間の上方にプレート本体７を位置させた状態で、側枠部６の両端に突出する係止用フック８，８を両足場用建枠２，２の横材３，３に係止させ、そして水平板部５の先端部５ａを足場板４の側端部上面に載置させる。
【００２０】
図４〜図６は、図７の使用形態におけるロック手段９の作用を示したもので、図４の(a) 〜(c) は、プレート本体７を隙間塞ぎ位置にロックするロック手段９がロック解除された状態を示す。即ち、隙間塞ぎ位置にあるプレート本体７がロック手段９によるロックを解除された状態では、同図の(a) に示すようにロック金具１１のロックピン１６がプレート本体７の水平板部５に設けられた複数のロック溝１４・・・のうち図中左端のロック溝１４（足場板４の側端部４ａから最も離れたロック溝１４）に係入した状態にあって、当接金具１０の先端部１０ａが同図の(b) に示すように足場板４の側端部４ａから最も離間した位置にあり、このままではプレート本体７はその幅方向にズレるおそれがある。
【００２１】
従って、プレート本体７をロック手段９により隙間塞ぎ位置にロックする必要がある。そのために、コイルバネ１２の付勢力に抗してロック金具１１を当接金具１０から独立してスライドさせ、ロックピン１６をロック溝１４から長溝１３側に変位させて該ロックピン１６を長溝１３に沿って移動可能となることによって、当接金具１０をプレート本体７の幅方向に移動可能とした状態を図５の(a) 〜(c) に示す。ロックピン１６をロック溝１４から長溝１３側に変位させる時は、ロック金具１１の下向き突片１１ａ側を図４の(c) の矢印で示す方向にバネ１２の付勢力に抗して手で押してやればよく、図５の（ｃ）はロックピン１６を長溝１３側に変位させた状態を示す。そしてこの押したままロック金具１１と共に当接金具１０を図５の（ａ）の図中右方向（足場板４の側端部４ａに近づく方向）、即ち、足場板４の側端部４ａが長溝１３の長手方向中間部に位置する部分まで移動させる。この時、当接金具１０は、そのガイドピン１８が水平板部５のガイド長溝１７に沿って案内され、ロック金具１１は、そのロックピン１６が水平板部５の長溝１３に沿って案内される。そして図５（ｂ）に示すように、当接金具１０の竪壁部１０ａの先端縁１０ａ1が足場板４の側端面４ａに当接した時に、ロック金具１１から手を離すと、コイルバネ１２の付勢力によってロックピン１６が足場板４の側端面４ａに近い中央部のロック溝１４に係入し、当接金具１０をその先端縁１０ａ1が足場板４の側端面４ａに当接した状態にロックし、これによってプレート本体７が隙間塞ぎ位置にロックされる。この例は、足場板４の側端面４ａ側の隙間が比較的に狭い場合の位置でフレート本体７をロックする状態を示すものである。
【００２２】
図６の（ａ）〜（ｃ）は、足場板４の側端部４ａ側の隙間が尤も大きい場合のロック状態を示すもので、上記のように当接金具１０をロック金具１１と共に、図６の（ａ）の図中右方向（足場板４の側端部４ａに近づく方向）、即ち、足場板４の側端部４ａが長溝１３の長手方向終端部の位置まで移動させる。そして図６（ｂ）に示すように、当接金具１０の竪壁部１０ａの先端縁１０ａ1が足場板４の側端面４ａに当接した時に、ロック金具１１から手を離すと、図６の（ｃ）に矢印で示すように、コイルバネ１２の付勢力によってロックピン１６が足場板４の側端面４ａに最も近いロック溝１４に係入し、当接金具１０をその先端縁１０ａ1が足場板４の側端面４ａに当接した状態にロックし、これによってプレート本体７が隙間塞ぎ位置にロックされる。
【００２３】
そして、この時、図５（ｂ）及び図６（ｂ）に示すように、当接金具１０の竪壁部１０ａの先端下部に設けてある係合部１０ａｏが足場板４の側端下面部に係合する状態となるため、この状態で、風圧などによるプレート本体７の浮き上がりが防止されることになる。
【００２４】
上記のように当接金具１０がロック金具１１によりロックされて、プレート本体７が隙間塞ぎ位置にロックされた状態から、ロックを解除するには、コイルバネ１２の付勢力に抗しロック金具１１を当接金具１０から独立してスライドさせて、ロックピン１６をロック溝１４から長溝１３側に変位させ、そのまま当接金具１０をロック金具１１と共に、足場板４の側端部から離れる方向に移動させればよい。そして、その状態でプレート本体７を持ち上げることにより、足場板隙間プレート１を取り外すことができる。
【００２５】
以上説明したように、足場板隙間プレート１のプレート本体７を隙間塞ぎ位置にロックしたり、ロック解除するのに、従来の足場板隙間プレートのようにボルトを締めたり、緩めたりする面倒が不要で、ロック金具１１を当接金具１０から独立してプレート本体７の長さ方向に変位させると共に、このロック金具１１を当接金具１０と共にプレート本体７の幅方向に一体に移動させるだけでよいから、操作が非常に簡単で容易となり、足場板の側端部側の隙間の大きさに合わせて該側端部端面に当接金具１０が当接ロックするロック位置を自在に調整することができる。
【符号の説明】
【００２６】
１            足場板隙間プレート
２            足場用建枠
３            足場用建枠の横材
４            足場板
５            プレート本体の水平板部
６            プレート本体の側枠部
７            プレート本体
８            係止用フック
９            ロック手段
１０          当接金具
１０ａ        竪壁部
１０ａｏ      係合部
１０ｂ        水平壁部
１１          ロック金具
１２          コイルバネ
１３          ガイド長溝
１４          ロック溝
１６          ロックピン
【図１】
2011140807.tif 000003
【図２】
2011140807.tif 000004
【図３】
2011140807.tif 000005
【図４】
2011140807.tif 000006
【図５】
2011140807.tif 000007
【図６】
2011140807.tif 000008
【図７】
2011140807.tif 000009
【図８】
2011140807.tif 000010